(57)【要約】  【課題】  処理精度や特性あるいはノイズにより、無効レベル変化を有効レベル変化と誤認識して割込みを発生させるようなことを無くし、また、ノイズ検出用回路を不要とし、誤動作防止のための処理も簡単化することができるリモコン受信装置を提供する。  【解決手段】  リモコン３からの送信信号の有効となるレベル変化を検出した時に、割込み認識手段５は割込みが発生したと認識し、この割込み認識手段５により前記割込みが発生したと認識された時に、ポート判定手段６は、ポートの信号レベルを直接判定する。このポート判定手段６により直接判定された前記信号レベルが有効であれば、割込み処理手段７は前記割込みを受け付けて通常の受信処理を行う。一方、前記信号レベルが無効であれば、割込み処理手段７は前記割込みを無視する処理を行う。【選択図】      図１
2005191926.tif 000002
【特許請求の範囲】
【請求項１】
リモコンからの送信信号を入力して所定の処理を行い、前記送信信号に対応する制御信
号を出力するように構成されたリモコン受信装置において、前記リモコンからの送信信号
の有効となるレベル変化を検出した時に割込みが発生したと認識する割込み認識手段と、
この割込み認識手段により前記割込みが発生したと認識された時にポートの信号レベルを
直接判定するポート判定手段と、このポート判定手段により直接判定された前記信号レベ
ルが有効であれば前記割込みを受け付けて通常の受信処理を行うと共に前記信号レベルが
無効であれば前記割込みを無視する処理を行う割込み処理手段とを有する処理部を備えた
ことを特徴とするリモコン受信装置。
【請求項２】
リモコンからの送信信号を入力して所定の処理を行い、前記送信信号に対応する制御信
号を出力するように構成されたリモコン受信装置において、前記リモコンからの送信信号
の有効となるレベル変化により、割込みが発生したと認識された時、ポートの信号レベル
を直接判定し、前記信号レベルが有効であれば前記割込みを受け付けて通常の受信処理を
行い、前記信号レベルが無効であれば前記割込みを無視する処理を行う処理部を備えたこ
とを特徴とするリモコン受信装置。
【請求項３】
前記処理部は、リモコンからの送信信号の有効となるレベル変化を検出した時に割込み
が発生したと認識する割込み認識手段と、この割込み認識手段により前記割込みが発生し
たと認識された時にポートの信号レベルを直接判定するポート判定手段と、このポート判
定手段により直接判定された前記信号レベルが有効であれば前記割込みを受け付けて通常
の受信処理を行うと共に前記信号レベルが無効であれば前記割込みを無視する処理を行う
割込み処理手段とを有することを特徴とする請求項２に記載のリモコン受信装置。
【発明の詳細な説明】
【技術分野】
【０００１】
本発明は、リモコン（リモートコントローラ）からの送信信号を入力して所定の処理を
行い、前記送信信号に対応する制御信号を出力するように構成されたリモコン受信装置に
関する。
【背景技術】
【０００２】
従来から、テレビ、ビデオ機器、オーディオ機器などにおいては、機器本体の電源のオ
ン／オフ、チャンネルの選択、ボリューム調整などを、また、エアコンにおいては、同じ
く機器本体の電源のオン／オフ、温度調整などを遠隔操作で行うため、操作内容を示すデ
ジタル情報の赤外線信号を送信するリモコンと、機器本体側に設けられ前記リモコンから
の赤外線信号を受信するリモコン受信装置とが備えられている。遠隔操作により機器本体
を制御するために、リモコンは論理「１」，「０」のデジタル情報を赤外線信号で送信す
る。リモコン受信装置では、リモコンからのデジタル情報の赤外線信号をリモコン受光部
で受信して、そのデジタル情報を処理部でデコードして、機器本体のメイン回路に制御信
号を供給し、本体電源をオンしたりオフしたり、あるいはその他の操作を行ったりする。
【特許文献１】特開平６−２３３３５５号公報
【特許文献２】特開平７−１２８４６１号公報
【特許文献３】特開平８−７０４９０号公報
【発明の開示】
【発明が解決しようとする課題】
【０００３】
ところで、このような従来のリモコン受信装置では、例えば、リモコンからの操作内容
を示すデジタル情報の信号の立下りエッジから次の立下りエッジまでの幅、例えば図４に
示すように周期３Ｔ（Ｔは基準クロック信号の周期）で、デジタル情報のビットの判定を
行っているが、処理部の処理精度や、リモコン受光部の特性、あるいはノイズにより立上
りエッジ（無効レベル変化）を立下りエッジ（有効レベル変化）と誤認識して、割込みを
発生させることがある。この結果、リモコン受信装置は、機器本体のメイン回路などに誤
った制御信号を供給することになり、ユーザが希望する操作とは異なる操作が機器本体で
行われる。
【０００４】
そこで、特許文献１の従来技術では、赤外線リモコン装置からの送信信号を受け反転す
る反転手段と、この反転手段の出力を受け所定パルス幅のパルスを出力する第１のパルス
発生手段と、この第１のパルス発生手段の出力と前記反転手段の出力とに基づき送信信号
と混入ノイズとを識別し混入ノイズに出力する識別手段と、この識別手段の出力に基づき
所定パルス幅のパルスを出力する第２のパルス発生手段とを備え、第２のパルス発生手段
からの出力に基づき混入ノイズが入力されたときは一定時間だけ装置本体への入力を停止
させることにより誤動作を防止するように構成している。しかしながら、この従来技術の
構成では、ノイズ検出用回路が必要となり、回路構成が複雑化する傾向がある。
【０００５】
特許文献２の従来技術では、１つの入力ポートを介して入力するパルス信号の第１状態
から第２状態への変化を検出し、割込みをかける割り込み手段と、この割り込み手段によ
って割り込みがかけられると、パルス信号の状態を第２状態であると記憶する記憶手段と
、この記憶手段にてパルス信号の状態が第２状態であると記憶されると、前記パルス信号
の第２状態から第１状態への変化を待機する待機手段と、前記入力ポートに入力するパル
ス信号の状態が第２状態であるか否かを判定する判定手段と、この判定手段にて否定判定
されると、前記待機手段による前記パルス信号の変化の待機を第１状態から第２状態への
変化を待機するように変更する変更手段とを備えている。しかしながら、この従来技術で
は、処理部としてのＣＲＴＥＣＵの処理精度などにより、例えば、立上りエッジを立下り
エッジと誤認識して、割込みを発生することについての対策は施されていない。
【０００６】
特許文献３の従来技術では、赤外線ワイヤレスリモコン装置において、制御部が、リー
ド部と、その後段では、パルス基本時間より短い間隔で信号波形のハイレベル信号とロウ
レベル信号のサンプリング部カウンタと、サンプリング結果によってノイズ判定を行うノ
イズ判定部とを備え、かつ前記ノイズ判定部が、リーダ部の前段では、リーダ部のハイレ
ベル信号をリーダ部判定基準としてサンプリング部カウンタに記憶させ、このハイレベル
信号以前がリーダ部のロウレベル信号以上の連続したものであればリーダ部であると判定
できるノイズ判定部を兼ねている。しかしながら、この従来技術では、常に一定時間毎に
ハイレベル、ロウレベルをチェックしておく必要があり、また、カウンタの精度を上げる
ために高速なクロック信号が必要で、常に信号を追って行く必要があるので、処理が複雑
化する傾向がある。
【０００７】
本発明は、上記のような課題を解決するためになされたもので、処理精度や特性あるい
はノイズにより、無効レベル変化を有効レベル変化と誤認識して割込みを発生させるよう
なことを無くし、また、ノイズ検出用回路を不要とし、誤動作防止のための処理も簡単化
することができるリモコン受信装置を提供することを目的とする。
【課題を解決するための手段】
【０００８】
上記目的を達成するために、請求項１の発明は、リモコンからの送信信号を入力して所
定の処理を行い、前記送信信号に対応する制御信号を出力するように構成されたリモコン
受信装置において、前記リモコンからの送信信号の有効となるレベル変化を検出した時に
割込みが発生したと認識する割込み認識手段と、この割込み認識手段により前記割込みが
発生したと認識された時にポートの信号レベルを直接判定するポート判定手段と、このポ
ート判定手段により直接判定された前記信号レベルが有効であれば前記割込みを受け付け
て通常の受信処理を行うと共に前記信号レベルが無効であれば前記割込みを無視する処理
を行う割込み処理手段とを有する処理部を備えたことを特徴とするリモコン受信装置を提
供する。
【０００９】
この構成において、リモコンからの送信信号の有効となるレベル変化を検出した時に、
割込み認識手段は割込みが発生したと認識し、この割込みが発生したと認識された時に、
ポート判定手段はポートの信号レベルを直接判定する。このポート判定手段により直接判
定された前記信号レベルが有効であれば、割込み処理手段は前記割込みを受け付けて通常
の受信処理を行う。一方、前記信号レベルが無効であれば、割込み処理手段は前記割込み
を無視する処理を行う。
【００１０】
この構成によれば、無効となるような信号のレベル変化を有効となるレベル変化として
検出され、割込みが発生したと認識されても、ポートの信号レベルが無効を示す場合は、
その割込みは無視される。例えば、立上りエッジ（無効となるレベル変化）にもかかわら
ず、立下りエッジ（有効となるレベル変化）であると検出され、割込みが発生したと認識
されても、ポートの信号がＨレベル（無効レベル）であれば、その割込みは無視される。
したがって、処理精度や特性あるいはノイズにより、無効レベル変化を有効レベル変化と
誤認識して割込みを発生させるようなことが無くなり、これにより、リモコンからの信号
の誤判別や受信失敗を防止でき、また、ノイズ検出用回路が不要となり、誤動作防止のた
めの処理も簡単化ができる。
【００１１】
請求項２の発明は、リモコンからの送信信号を入力して所定の処理を行い、前記送信信
号に対応する制御信号を出力するように構成されたリモコン受信装置において、前記リモ
コンからの送信信号の有効となるレベル変化により、割込みが発生したと認識された時、
ポートの信号レベルを直接判定し、前記信号レベルが有効であれば前記割込みを受け付け
て通常の受信処理を行い、前記信号レベルが無効であれば前記割込みを無視する処理を行
う処理部を備えたことを特徴とするリモコン受信装置を提供する。
【００１２】
この構成において、処理部は、リモコンからの送信信号の有効となるレベル変化により
、割込みが発生したと認識された時、ポートの信号レベルを直接判定し、前記信号レベル
が有効であれば前記割込みを受け付けて通常の受信処理を行い、前記信号レベルが無効で
あれば前記割込みを無視する処理を行う。
【００１３】
この構成によれば、無効となるような信号のレベル変化を有効となるレベル変化として
検出され、割込みが発生したと認識されても、ポートの信号レベルが無効を示す場合は、
その割込みは無視される。したがって、処理精度や特性あるいはノイズにより、無効レベ
ル変化を有効レベル変化と誤認識して割込みを発生させるようなことが無くなり、これに
より、リモコンからの信号の誤判別や受信失敗を防止でき、また、ノイズ検出用回路が不
要となり、誤動作防止のための処理も簡単化ができる。
【００１４】
請求項３の発明では、請求項２の発明において、処理部は、リモコンからの送信信号の
有効となるレベル変化を検出した時に割込みが発生したと認識する割込み認識手段と、こ
の割込み認識手段により前記割込みが発生したと認識された時にポートの信号レベルを直
接判定するポート判定手段と、このポート判定手段により直接判定された前記信号レベル
が有効であれば前記割込みを受け付けて通常の受信処理を行うと共に前記信号レベルが無
効であれば前記割込みを無視する処理を行う割込み処理手段とを有するので、無効となる
ような信号のレベル変化を有効となるレベル変化として検出し、割込みが発生したと認識
しても、ポートの信号レベルが無効を示す場合は、その割込みを無視することができる。
したがって、処理精度や特性あるいはノイズにより、無効レベル変化を有効レベル変化と
誤認識して割込みを発生させるようなことを無くするのに、貢献できる。
【発明の効果】
【００１５】
以上のように本発明によれば、無効となるような信号のレベル変化を有効となるレベル
変化として検出され、割込みが発生したと認識されても、ポートの信号レベルが無効を示
す場合は、その割込みは無視されるので、処理精度や特性あるいはノイズにより、無効レ
ベル変化を有効レベル変化と誤認識して割込みを発生させるようなことが無くなり、これ
により、リモコンからの信号の誤判別や受信失敗を防止でき、また、ノイズ検出用回路が
不要となり、誤動作防止のための処理も簡単化ができる。
【発明を実施するための最良の形態】
【００１６】
以下、添付図面を参照しつつ、本発明の実施の形態について説明する。図１は本発明の
一実施形態に係るリモコン受信装置の構成を示すブロック図である。このリモコン受信装
置は、リモコン３からの操作内容を示すデジタル情報の送信信号（赤外線信号）を受光し
て電気信号に変換し、デジタル信号として出力するリモコン受光部２と、このリモコン受
光部２から出力されたデジタル信号を入力して所定の処理を行い、前記送信信号（操作内
容）に対応する制御信号を出力して図示しないメイン回路などに供給する処理部１とを備
えている。なお、リモコン受光部２、処理部１、および図示しないメイン回路は、電気機
器内に備えられている。電気機器とは、例えばテレビ、ビデオ機器、オーディオ機器、エ
アコン、その他、遠隔操作で制御を行うものを言う。
【００１７】
前記処理部１は、マイクロコンピュータなどで実現され、本実施形態の特徴とする構成
要素として、リモコン３からの送信信号の有効となるレベル変化を検出した時に割込みが
発生したと認識する割込み認識手段５と、この割込み認識手段５により前記割込みが発生
したと認識された時にポート４の信号レベルを直接判定するポート判定手段６と、このポ
ート判定手段６により直接判定された前記信号レベルが有効であれば前記割込みを受け付
けて通常の受信処理を行うと共に前記信号レベルが無効であれば前記割込みを無視する処
理を行う割込み処理手段７とを有する。
【００１８】
図２は、本実施形態のリモコン受光部２において、リモコン３からの赤外線の送信信号
を受光して電気信号に変換されて出力されるデジタル信号の波形図である。図２において
、点ｅはポート４の信号レベルをポート判定手段６により直接判定することを示している
。例えば、点ｅのエッジが本来は立上りエッジであるにもかかわらず立下りエッジである
と判定され、割込みが発生したと認識されても、ポート４の信号は点ｅではＨレベルにな
っているので、その割込みを無視する。これにより、処理部１の処理精度や、リモコン受
光部２の特性、あるいはノイズにより、無効レベル変化を有効レベル変化と誤認識して割
込みを発生させるようなことが無くなり、したがって、リモコン３からの信号の誤判別や
受信失敗を防止でき、また、ノイズ検出用回路が不要となり、誤動作防止のための処理も
簡単化ができる。
【００１９】
図３は、本実施形態において処理部１の動作を説明するためのフローチャートである。
図示しない電気機器の例えば本体電源（メイン電源）をオンするために、ユーザはリモコ
ン３の電源キーを押下すると、リモコン３からは操作内容（電源オン）を示すデジタル情
報が赤外線の送信信号として出力される。その赤外線の送信信号を受光したリモコン受光
部２は、その赤外線の送信信号を電気信号に変換し、デジタル信号として処理部１に出力
する。
【００２０】
処理部１は、リモコン受光部２からのデジタル信号をポート４を介して入力する。処理
部１においては、割込み認識手段５は、有効となるレベル変化である前記デジタル信号の
立下りを検出し（ステップＳ１）、この時に割込みが発生したと認識する（ステップＳ２
）。また、この時、ポート判定手段６は、前記割込みが発生したと認識された時にポート
４の信号レベルを直接判定する（ステップＳ３）。
【００２１】
即ち、ポート判定手段６は、ポート４の信号は有効レベルを示すＬレベルであるか否か
を判定し（ステップＳ４）、ポート４の信号がＬレベルであれば、割込み処理手段７は通
常の受信処理を行う（ステップＳ５）。この例の場合、電気機器の本体の電源をオンさせ
る処理を行う。この後、本処理の割込みが終了する（ステップＳ６）。
【００２２】
一方、ポート４の信号が無効レベルを示すＨレベルであると、ポート判定手段６が判定
した場合は、割込み認識手段５で認識された割込み発生を無視する処理を行う（ステップ
Ｓ７）。したがって、この場合は、割込みが無視されるので、立上りエッジに対しては、
処理部１は制御信号を出力しないことになる。
【００２３】
このような処理により、処理部１の処理精度や、リモコン受光部２の特性、あるいはノ
イズにより、処理部１に入力されたデジタル信号の立上りエッジを立下りエッジと誤認識
して割込みを発生させるようなことが無くなり、したがって、リモコン３からの信号の誤
判別や受信失敗を防止でき、また、ノイズ検出用回路が不要となり、誤動作防止のための
処理も簡単化ができる。
【００２４】
常に一定時間毎にポート４の信号のＨレベルとＬレベルをチェックする場合には、高速
なクロック信号を用いてポート４の信号をチェックする必要があるが、本実施形態のよう
に割込みを利用し、認識した割込みの直後のポート４の信号をチェックするので、それほ
ど高速なクロック周波数は必要としない。
【００２５】
なお、上記実施形態においては、処理部１は入力信号の立下りエッジで動作する場合で
あって、処理部１に入力されるデジタル信号の立下りエッジを有効な信号とし、立上りエ
ッジを無効な信号として説明したが、これに限らず、処理部１が入力信号の立上りエッジ
で動作する場合は、処理部１に入力されるデジタル信号の立上りエッジを有効な信号とし
、立下りエッジを無効な信号としても良い。
【図面の簡単な説明】
【００２６】
【図１】本発明の一実施形態に係るリモコン受信装置の構成を示すブロック図である。
【図２】前記実施形態のリモコン受光部においてリモコンからの赤外線の送信信号を受光して電気信号に変換されて出力されるデジタル信号の波形図である。
【図３】前記実施形態において処理部の動作を説明するためのフローチャートである。
【図４】従来のリモコン受信装置のリモコン受光部においてリモコンからの赤外線の送信信号を受光して電気信号に変換されて出力されるデジタル信号の波形図である。
【符号の説明】
【００２７】
１    処理部
３    リモコン
４    ポート
５    割込み認識手段
６    ポート判定手段
７    割込み処理手段
【図１】
2005191926.tif 000003
【図２】
2005191926.tif 000004
【図３】
2005191926.tif 000005
【図４】
2005191926.tif 000006